(57)【特許請求の範囲】
【請求項１】
各々の鍵支点を中心に押離鍵方向に回動する鍵と、
前記鍵に対応して設けられ、各々対応する鍵に連動してハンマ支点を中心に回動して対応する鍵の回動動作に対して慣性を付与するハンマ体と、
少なくとも前記ハンマ体の自重による復帰力を含む付勢力によって前記鍵を離鍵方向に付勢する押鍵反力発生手段と、
前記鍵に対応し、且つ位置ないし姿勢が可変に設けられ、前記鍵における前記鍵支点よりも前側の部分を押鍵方向に付勢して押鍵力に対し助成力を与えることが可能な弾性部材と、
前記弾性部材の位置ないし姿勢を変えることで前記弾性部材による助成力を調節する調節手段とを有することを特徴とする電子鍵盤装置。
【請求項２】
前記ハンマ体を、少なくとも押鍵開始時において対応する鍵によって駆動されないような所定の回動位置に維持する維持手段を有することを特徴とする請求項１記載の電子鍵盤装置。
【請求項３】
共通の操作により、前記ハンマ体を前記所定の回動位置まで回動させると同時に前記弾性部材の位置ないし姿勢を変化させて前記鍵への助成力を変化させるための操作手段を有することを特徴とする請求項２記載の電子鍵盤装置。
【請求項４】
前記操作手段の前記共通の操作により、複数の鍵に対応するハンマ体が一斉に回動して回動位置が変化すると共に、前記複数の鍵に対応する弾性部材の位置ないし姿勢が一斉に変化することを特徴とする請求項３記載の電子鍵盤装置。
【請求項５】
押鍵時の静荷重が、前記操作手段の前記共通の操作の前後で略一致することを特徴とする請求項３または４記載の電子鍵盤装置。
【請求項６】
前記操作手段の前記共通の操作の後においては、前記弾性部材は、押離鍵の全行程において前記鍵と当接しない位置ないし姿勢に変位して前記鍵を全く付勢しない状態となることを特徴とする請求項３〜５のいずれか１項に記載の電子鍵盤装置。
【請求項７】
前記操作手段の前記共通の操作によって一体に回動する第１のカムと第２のカムとを有し、前記弾性部材は回動体と一体に回動するように前記回動体に固定され、前記共通の操作によって、前記第１のカムが前記ハンマ体を押鍵方向に対応する方向に回動させて前記所定の回動位置まで回動させると共に、前記第２のカムが前記回動体を回動させて前記弾性部材の位置ないし姿勢を変化させることを特徴とする請求項３〜６のいずれか１項に記載の電子鍵盤装置。
【発明の詳細な説明】
【技術分野】
【０００１】
本発明は、鍵の回動動作に対して慣性を付与するハンマ体を有した電子鍵盤装置に関する。
【背景技術】
【０００２】
従来、鍵の回動動作に対して慣性を付与するハンマ体を有する電子鍵盤装置においては通常、ハンマ体の自重による復帰力が押鍵時の静荷重に反力として関与する。下記特許文献１の鍵盤装置では、ハンマ体に形成した錘を選択的に切除することで質量分布を異ならせ、慣性力を調節することができる。ところが慣性力の調節に伴い、ハンマ体が鍵の離鍵方向に付与する復帰力も変化するため、静荷重までが変化してしまう。
【０００３】
ここで、静荷重を調節する技術も知られている。例えば下記特許文献２に示される鍵盤装置は、ハンマ体を有するものではないが、鍵の後端に階段状に引掛け部を設け、シャーシとの間にバネを張架して押鍵反力を得る。バネを張架する引掛け部を選択することによってバネの張力を調節し、静荷重を調節することができる。
【先行技術文献】
【特許文献】
【０００４】
【特許文献１】実公平５−８６３５号公報
【特許文献２】実開昭５２−５２９３０号公報
【発明の概要】
【発明が解決しようとする課題】
【０００５】
鍵盤装置において静荷重の設定は重要で、製品完成の段階で調節が容易であることが望ましい。しかし、上記特許文献１の鍵盤装置では、慣性力に影響を与えずに静荷重を調節することは困難であった。一方、上記特許文献２の鍵盤装置では、静荷重を調節する際、バネを架け替えなければならず、調節作業が容易でない。
【０００６】
ところで、適正な静荷重は、鍵盤楽器の種類（例えば、アコースティックピアノとオルガン）によっても異なる。同じ鍵盤装置で異なる楽器種類のタッチを実現することについては、深い取り組みがなされていない。
【０００７】
本発明は上記従来技術の問題を解決するためになされたものであり、その目的は、ハンマ体を有した鍵盤装置において押鍵時の静荷重を容易に調節することができる電子鍵盤装置を提供することにある。
【課題を解決するための手段】
【０００８】
上記目的を達成するために本発明の請求項１の電子鍵盤装置は、各々の鍵支点（Ｐｋ）を中心に押離鍵方向に回動する鍵（１０）と、前記鍵に対応して設けられ、各々対応する鍵に連動してハンマ支点（Ｐｈ）を中心に回動して対応する鍵の回動動作に対して慣性を付与するハンマ体（ＨＭ）と、少なくとも前記ハンマ体の自重による復帰力を含む付勢力によって前記鍵を離鍵方向に付勢する押鍵反力発生手段（ＨＭ、４２、４５）と、前記鍵に対応し、且つ位置ないし姿勢が可変に設けられ、前記鍵における前記鍵支点よりも前側の部分を押鍵方向に付勢して押鍵力に対し助成力を与えることが可能な弾性部材（２３）と、前記弾性部材の位置ないし姿勢を変えることで前記弾性部材による助成力を調節する調節手段（２０、３０）とを有することを特徴とする。
【０００９】
好ましくは、前記ハンマ体を、少なくとも押鍵開始時において対応する鍵によって駆動されないような所定の回動位置に維持する維持手段（３５、３６Ｂ）を有する（請求項２）。
【００１０】
好ましくは、共通の操作により、前記ハンマ体を前記所定の回動位置まで回動させると同時に前記弾性部材の位置ないし姿勢を変化させて前記鍵への助成力を変化させるための操作手段（３４）を有する（請求項３）。
【００１１】
好ましくは、前記操作手段の前記共通の操作により、複数の鍵に対応するハンマ体が一斉に回動して回動位置が変化すると共に、前記複数の鍵に対応する弾性部材の位置ないし姿勢が一斉に変化する（請求項４）。
【００１２】
好ましくは、押鍵時の静荷重が、前記操作手段の前記共通の操作の前後で略一致する（請求項５）。
【００１３】
好ましくは、前記操作手段の前記共通の操作の後においては、前記弾性部材は、押離鍵の全行程において前記鍵と当接しない位置ないし姿勢に変位して前記鍵を全く付勢しない状態となる（請求項６）。
【００１４】
好ましくは、前記操作手段の前記共通の操作によって一体に回動する第１のカム（３１）と第２のカム（３２）とを有し、前記弾性部材は回動体（２０）と一体に回動するように前記回動体に固定され、前記共通の操作によって、前記第１のカムが前記ハンマ体を押鍵方向に対応する方向に回動させて前記所定の回動位置まで回動させると共に、前記第２のカムが前記回動体を回動させて前記弾性部材の位置ないし姿勢を変化させる（請求項７）。
【００１５】
なお、上記括弧内の符号は例示である。
【発明の効果】
【００１６】
本発明の請求項１によれば、ハンマ体を有した鍵盤装置において押鍵時の静荷重を容易に調節することができる。
【００１７】
請求項２によれば、ハンマ体による慣性力が無い状態に切り替えることができる。
【００１８】
請求項３によれば、簡単な操作でハンマ体の慣性有りの状態と慣性無しの状態とに状態を切り替えると共に、各状態に応じた適正な静荷重を自動的に設定することが可能となる。
【００１９】
請求項４によれば、簡単な操作で複数の鍵の静荷重を一斉に調節することができる。
【００２０】
請求項５によれば、慣性有りと無しの各状態の静荷重を略一致させることができる。
【００２１】
請求項６によれば、例えばアコースティックピアノタッチとオルガンタッチとの切り替えが簡単にできる。
【００２２】
請求項７によれば、簡単な操作でハンマ体の慣性有りの状態と慣性無しの状態とに状態を切り替えると共に、各状態に応じた適正な静荷重を自動的に設定することが可能となる。
【図面の簡単な説明】
【００２３】
【図１】本発明の一実施の形態に係る電子鍵盤装置の１つの鍵に着目した要部の断面図であり、ピアノタッチ状態（図（ａ））、オルガンタッチ状態（図（ｂ））を示す図である。
【図２】静荷重調節手段の平面図（図（ａ））、回転操作部の側面図（図（ｂ））である。
【図３】変形例のカム機構部の平面図（図（ａ））、回転操作部の側面図（図（ｂ））、摩擦部材の変形例（図（ｃ）、（ｄ））である。
【発明を実施するための形態】
【００２４】
以下、本発明の実施の形態を図面を参照して説明する。
【００２５】
図１（ａ）、（ｂ）は、本発明の一実施の形態に係る電子鍵盤装置の１つの鍵に着目した要部の断面図である。この電子鍵盤装置は電子鍵盤楽器に適用される。図１においては、シャーシ等の図示は省略され、鍵１０として白鍵とそれに対応するハンマ体ＨＭとを示している。本発明に関し、白鍵と黒鍵の構成、及びそれらに対応する構成要素の構成は基本的に同様である。
【００２６】
鍵１０は、後端部１０ａの鍵支点Ｐｋを中心に押離鍵方向に回動自在に、不図示のフレームに配設される。鍵１０は、その前半部の上下方向中間部１０ｂが木質部であり、その他の部分は樹脂で構成される鍵構造体である。鍵１０には駆動部１１が突設されている。ハンマ体ＨＭは対応する鍵１０の下方に配置され、ハンマ支点Ｐｈを中心に回動自在に配設される。ハンマ体ＨＭは、質量が集中している棒状部１５を有し、その自重により図１の反時計方向に常に付勢されている。鍵盤装置本体（シャーシや棚板等）には、ハンマ上限ストッパ１３、ハンマ下限ストッパ１４が設けられる。
【００２７】
また、各鍵１０の前部の下方にアクチュエータ４０が配設される。アクチュエータ４０は、ソレノイドコイル４５に電流を流すことにより、プランジャ４１が上方に突出するよう動作し、対応する鍵１０の前部に力を与える。アクチュエータ４０には、ソレノイドスプリング４２が設けられており、電磁的な駆動力が発生していないときでも、鍵１０の前部は、ソレノイドスプリング４２の弾性による弱い力によってプランジャ４１を介して上方（離鍵方向）に常時付勢されている。
【００２８】
後ろ側のアクチュエータ４０のソレノイドコイル４５、プランジャ４１は、図示しない他の鍵に対応するものである。アクチュエータ４０は、押鍵時のタッチ感触がプログラムされた感触の通りになるよう制御され、変更設定によって適宜異なるタッチ感触にも変更制御される。
【００２９】
本実施の形態では、カム機構部３０の操作により、アコースティックグランドピアノのようなタッチ（以下、ピアノタッチ）とオルガンのようなタッチ（以下、オルガンタッチ）とを切り替えることを実現している。さらにソレノイドコイル４５、プランジャ４１によって、ピアノタッチとオルガンタッチの中間のタッチも実現が可能である。図１（ａ）、（ｂ）では、いずれも鍵１０は非押鍵状態であるが、カム機構部３０による状態は、ピアノタッチ状態、オルガンタッチ状態をそれぞれ示している。
【００３０】
ここで、タッチの重さは、押鍵したときの慣性力による影響を含めた動荷重と、非常にゆっくりと押鍵したときの静荷重とにより把握される。静荷重は、非押鍵状態において押鍵位置Ｐ１を押鍵して鍵１０を押鍵方向に変位させ始めるのに必要な最低限の押鍵力である。押鍵時の静荷重の適正値は音域によっても異なり、低音側の方が重く設定される。静荷重は概ねピアノで５５ｇｆ、オルガンで４０ｇｆ程度とされるが、両者とも５０ｇｆでほぼ同じと考えてもよい。
【００３１】
ピアノタッチ状態（図１（ａ））において、非押鍵状態では、ハンマ体ＨＭはその自重によりハンマ下限ストッパ１４に棒状部１５が当接して回動初期位置が規制されている。それと同時に、ハンマ体ＨＭの被駆動部１６が鍵１０の駆動部１１と当接し、鍵１０の回動初期位置（レスト位置）も規制される。なお、鍵１０と係合して鍵１０の離鍵方向へのさらなる回動を規制するためのストッパを設けてもよい。
【００３２】
押鍵されると、ハンマ体ＨＭの被駆動部１６を鍵１０の駆動部１１が駆動する。すると、ハンマ体ＨＭが押鍵方向に対応する回動方向（図１の時計方向）に連動して回動し、ハンマ上限ストッパ１３に棒状部１５が当接する。これにより、ハンマ体ＨＭ及び鍵１０の回動終了位置（エンド位置）が規制される。
【００３３】
また、本鍵盤装置には、回動体であるリンク構体２０が設けられる。リンク構体２０及びカム機構部３０が、押鍵時の静荷重を調節する静荷重調節手段を構成する。以下、図１に図２も併せて静荷重調節手段を説明する。
【００３４】
図２（ａ）、（ｂ）はそれぞれ、静荷重調節手段の平面図、回転操作部の側面図である。
【００３５】
静荷重調節手段は、複数の鍵１０に共通に設けられ、本実施の形態では全ての鍵１０に共通に本鍵盤装置に１つ設けられる。リンク構体２０は基部２１を有し、基部２１が、鍵盤装置本体に対して回動支点Ｐａを中心に図１の時計及び反時計方向に回動自在に配設されている。
【００３６】
リンク構体２０は、リンクアーム２２、カウンタースプリング２３、バックプレート２４を有する。カム機構部３０は、第１のカム３１、第２のカム３２、回動軸部３３、回転操作部３４を有する。カム機構部３０の各構成要素とリンクアーム２２は１つしか存在しないが、カウンタースプリング２３及びバックプレート２４は各鍵１０ごとに設けられる。
【００３７】
リンク構体２０において、基部２１は、鍵１０の後方に配置される。リンクアーム２２は鍵盤装置本体の側部近傍において基部２１に固定され、側面視クランク型に形成され、下部が鍵１０の後端部１０ａの下方に延びている。カウンタースプリング２３及びバックプレート２４は、それぞれの基端部が基部２１に固定されて前方（図１の右方）に延び、片持ち状態で基部２１に支持され、基部２１の回転と共に位置ないし姿勢が可変である。カウンタースプリング２３及びバックプレート２４の各先端は鍵１０の後端部１０ａの上方に位置する。
【００３８】
鍵１０の後端部１０ａの上部には摩擦部材１２が固定されている（図１）。摩擦部材１２は、滑りにくいものであっても滑りやすいものであってもよい。カウンタースプリング２３の先端は下方に凸となるように湾曲形成されており、その下端が摩擦部材１２を摺接しつつ押圧することができる押圧部２３ａとなっている。カウンタースプリング２３は、その弾性によって押圧部２３ａが摩擦部材１２を押圧する状態においては、対応する鍵１０に押鍵方向への力を助成する助成力を与える。
【００３９】
カウンタースプリング２３は、鍵１０と係合していない自由状態においては、その弾性によってバックプレート２４に上方から当接するような位置の設定となっている（図１（ｂ）参照）。
【００４０】
カム機構部３０において、回動軸部３３が、鍵盤装置本体に対して回動自在に軸支される。第１のカム３１及び第２のカム３２は回動軸部３３に固定され、鍵盤装置本体に対して回動軸部３３と共に一体に回転するように構成される。第１のカム３１は、側面視で卵型に形成され（図１）、尖った部分が、対応するハンマ体ＨＭの棒状部１５を駆動する駆動部３１ａとなる。
【００４１】
第２のカム３２は、鍵並び方向においてリンクアーム２２と同じ位置に設けられる（図２（ａ））。第２のカム３２は、リンクアーム２２の下部の被当接部２２ａを摺動駆動するカム面３２ａを有する。リンク構体２０は不図示の付勢手段により図１の反時計方向に常に付勢されている。カム面３２ａの後端側（図１の左側）の領域が被当接部２２ａと当接してリンクアーム２２の回動位置を規制する。回動軸部３３が、図１（ａ）から図１（ｂ）に示す状態にまで回転するにつれて、カム面３２ａの後端位置が徐々に後方に変位するように形成されている。なお、第２のカム３２及びリンクアーム２２はそれぞれ、鍵盤装置本体の左右両側に一対設けてもよい。
【００４２】
図２（ａ）に示すように、回動軸部３３は回転操作部３４に連結固定され、回転操作部３４の回転操作によって回転する。回転操作部３４は、固定部１７の外側に配置され、手動操作が可能な位置に配置される。固定部１７は、鍵盤装置本体に対して固定的な部分であって、例えば、シャーシ側部や側板等である。図２（ｂ）に示すように、回転操作部３４には２つの締結穴３６Ａ、３６Ｂが形成されている。締結穴３６Ａ、３６Ｂのいずれかを介してネジまたはピン等の締結具３５を、固定部１７に形成されているネジ穴またはピン穴でなる締結部に螺合または嵌合により係合することで、その位置にて回転操作部３４の回転方向の位置が規定・維持される。これにより、回動軸部３３、ひいてはカム３１、３２の回転方向の位置も規定・維持される。
【００４３】
すなわち、締結穴３６Ａ、３６Ｂによって、カム機構部３０は２つの安定位置のいずれかに維持される。締結穴３６Ａで螺合される位置が図１（ａ）に示すピアノタッチ状態に対応し、締結穴３６Ｂで螺合される位置が図１（ｂ）に示すオルガンタッチ状態に対応する。
【００４４】
ところで、アクチュエータ４０は、不図示のＣＰＵの制御に基づきプランジャ４１が推力を発揮することで鍵１０に力を付与して力覚を与える。力覚を与えるための力覚制御データは、不図示の記憶部に力覚付与テーブルとして予め記憶されている。ただし、力覚を与えるように制御することは必須でない。本実施の形態では、力覚制御を行わない場合の静荷重を考察する。プランジャ４１は押離鍵の全行程において鍵１０と当接しているものとし、アクチュエータ４０のうち押鍵時の静荷重に関与するのはソレノイドスプリング４２による付勢力だけであるとする。
【００４５】
かかる構成において、締結穴３６Ａを介して締結具３５を固定部１７の締結部に係合すると、図１（ａ）に示すピアノタッチ状態となる。すなわち、第２のカム３２のカム面３２ａは後方に大きくせり出す。リンク構体２０は図１（ａ）の反時計方向に常に付勢されているため、リンクアーム２２の被当接部２２ａがカム面３２ａに当接した位置で、リンク構体２０の反時計方向の回転位置が規制される。この状態では、カウンタースプリング２３の押圧部２３ａが摩擦部材１２を弾性的に押圧し、その押圧する状態は押離鍵の全行程において継続される。
【００４６】
一方、第１のカム３１の駆動部３１ａは後方を向いており、ハンマ体ＨＭの棒状部１５に当接していない。従って、ハンマ体ＨＭは、ハンマ下限ストッパ１４に棒状部１５が当接した回動初期位置で静止している。この状態で押鍵されれば、鍵１０の回動動作に対してハンマ体ＨＭによる慣性力が付与される。
【００４７】
このような図１（ａ）に示すピアノタッチ状態において、押鍵時の静荷重は、鍵支点Ｐｋ周りの回転モーメントのバランスによって決定される。静荷重として次のものが関与する。
【００４８】
まず、押鍵時に図１の反時計方向（離鍵方向）の回転モーメントを生じさせるものとして、ハンマ体ＨＭの被駆動部１６が鍵１０の駆動部１１を上方に付勢する力と、アクチュエータ４０のソレノイドスプリング４２が鍵１０を上方に付勢する力とがある。これら２つは、押鍵に対して反力を作用させるものであり、ハンマ体ＨＭ及びソレノイドスプリング４２が「押鍵反力発生手段」となる。
【００４９】
一方、押鍵時に図１の時計方向（押鍵方向）の回転モーメントを生じさせるものとして、カウンタースプリング２３の押圧部２３ａが摩擦部材１２を押圧する助成力と、鍵１０自体の自重と、押鍵位置Ｐ１での押鍵力とがある。
【００５０】
そして、これらすべての回転モーメントが作用する環境で、押鍵開始時に鍵１０が押鍵方向に動き始めるのに必要な押鍵位置Ｐ１での押鍵力が静荷重となる。図１（ａ）に示すピアノタッチ状態において、静荷重がアコースティックグランドピアノの適正な静荷重（例えば５０ｇｆ）と同じとなるように、カウンタースプリング２３の押圧部２３ａによる押圧力が設定されている。
【００５１】
次に、締結穴３６Ａから締結具３５を一旦抜き、回転操作部３４を図２（ｂ）の時計方向に回転させ、締結穴３６Ｂを介して締結具３５を固定部１７の締結部に係合すると、図１（ｂ）に示すオルガンタッチ状態となる。すなわち、第２のカム３２のカム面３２ａの後方へのせり出しが小さくなり、リンク構体２０は反時計方向に回動して図１（ｂ）に示す位置となる。
【００５２】
この状態では、カウンタースプリング２３及びバックプレート２４も反時計方向に回動している。従って、カウンタースプリング２３はバックプレート２４に当接し、押圧部２３ａが摩擦部材１２から上方に離れる。押圧部２３ａが摩擦部材１２と当接しない状態は押離鍵の全行程において維持される。従って、カウンタースプリング２３による押鍵方向への助成力は０（鍵１０を全く付勢しない状態）となる。
【００５３】
一方、回転操作部３４を時計方向に回転させることで、第１のカム３１の駆動部３１ａがハンマ体ＨＭの棒状部１５を上方に駆動し、ハンマ体ＨＭは図１（ｂ）に示すような回動終了位置（所定の回動位置）に変位し、そのまま維持される。この状態では、押鍵開始時にはハンマ体ＨＭの被駆動部１６が鍵１０の駆動部１１から離れているため、ハンマ体ＨＭによる復帰力は鍵１０に与えられない。この状態で押鍵されても、ハンマ体ＨＭによる慣性力は付与されない。ただし、押し切り操作時の押鍵終了間際には駆動部１１は被駆動部１６に当接する。
【００５４】
ここで、ピアノタッチ状態からオルガンタッチ状態に遷移したことで、カウンタースプリング２３による助成力の減少量とハンマ体ＨＭによる復帰力の減少量とが同じ値となるように設定されている。その結果、オルガンタッチ状態においても、静荷重はピアノタッチ状態の場合と変わらない。その一方、ハンマ体ＨＭによる慣性力は作用しなくなるので、タッチ感触はオルガンらしくなる。
【００５５】
回転操作部３４を反時計方向に回転させれば、再びピアノタッチ状態に戻すことができる。このように、回転操作部３４の回転操作という簡単な操作により、慣性力があるピアノタッチと慣性力のないオルガンタッチとを、静荷重を変化させることなく切り替えることが可能となる。
【００５６】
ところで、押圧部２３ａは鍵１０の後端部１０ａの上方に配置されたので、ハンマ体ＨＭを有する鍵盤装置において配置スペースを有効に活用している。また、押圧部２３ａは摩擦部材１２を押圧するので、押鍵行程と離鍵行程とで摩擦力を異ならせることができ、助成力のヒステリシスを生じさせることが容易である。この観点からは、摩擦を発生させる部材は、鍵１０側またはカウンタースプリング２３側の少なくとも一方に設ければよい。
【００５７】
本実施の形態によれば、簡単な操作で、ハンマ体ＨＭによる慣性有りのピアノタッチ状態と慣性無しのオルガンタッチ状態とに状態を切り替えると共に、各状態において静荷重を略一致させ、適正な静荷重を維持することができる。アコースティックグランドピアノとオルガンとにタッチ感触を切り替えるのに特に好適である。
【００５８】
ところで、本実施の形態では、オルガンタッチ状態においては、押圧部２３ａが摩擦部材１２から完全に離間して助成力が０となるとしたが、これは一例である。例えば、押圧部２３ａが摩擦部材１２を押圧する度合を弱めて、助成力を少し残すようにカウンタースプリング２３の位置ないし姿勢（位置及び／または姿勢）の変化を設定してもよい。これはカウンタースプリング２３の位置ないし姿勢やバネ定数の選定によって如何ようにも設定可能である。カウンタースプリング２３による助成力を可変としたことで、慣性有りの状態と慣性無しの状態の各状態に応じた適正な静荷重を自動的に設定することが可能となる。
【００５９】
本実施の形態では、回転操作部３４の回転操作により、全ての鍵１０に対応するハンマ体ＨＭが一斉に回動して回動位置が変化すると共に、全ての鍵１０に対応するカウンタースプリング２３の位置も一斉に移動する構成であった。ハンマ体ＨＭの回動とカウンタースプリング２３の位置可変の操作が、共通する１つの操作であるので、簡単な操作で全ての鍵１０の静荷重を一斉に調節することができる。ただし、静荷重調節手段を全ての鍵１０に１つではなく、複数の鍵１０ごとに設けて、それら複数の鍵１０の静荷重を一斉に調節できるように構成してもよい。
【００６０】
なお、ハンマ体ＨＭの自重が静荷重に影響しない所定の回動位置が回動終了位置であるとしたが、静荷重の調節を可能にするという観点に限れば、押鍵開始時に駆動されないような回動位置であればよい。
【００６１】
なお、押鍵に対する助成力を与える弾性部材として板状のカウンタースプリング２３を例示したが、これに限らない。例えば、つるまきバネやゴムであってもよい。
【００６２】
また、アクチュエータ４０を設けることは必須でない。アクチュエータ４０を設けない場合は、アクチュエータ４０のソレノイドスプリング４２を「押鍵反力発生手段」から除外して、静荷重を考察することになる。
【００６３】
なお、カム機構部３０を回転操作する操作手段として回転操作部３４は例示である。また、ハンマ体ＨＭを、少なくとも押鍵開始時において対応する鍵によって駆動されないような所定の回動位置に維持する維持手段として、締結具３５を用いて締結穴３６を介して螺合等の締結をする構成も例示である。従って、これらの構成に限定されるものではない。例えば、回転操作部３４にギヤを設けると共に、このギヤに噛み合うラックを固定部１７に設け、適切な相対位置で両者を噛合させる構成を採用してもよい。そうすれば、締結具３５や締結穴３６は不要となる。
【００６４】
ところで、本実施の形態では、回転操作部３４の共通の回転操作によって、カム機構部３０における第１のカム３１及び第２のカム３２が一体に回転する構成であった。しかしこれに限られず、図３（ａ）、（ｂ）に変形例を示すように、別個独自に回転する構成としてもよい。
【００６５】
図３（ａ）、（ｂ）は、変形例のカム機構部３０の平面図、回転操作部の側面図である。図３（ａ）に示すように、回動軸部３３Ｌ、３３Ｒが、それぞれ鍵盤装置本体に対して回動自在に軸支される。第１のカム３１は、回動軸部３３Ｒに固定される。回動軸部３３Ｒは回転操作部３４Ｒに連結固定されて、回転操作部３４Ｒの回転操作によって回転する。第２のカム３２は、回動軸部３３Ｌに固定される。回動軸部３３Ｌは回転操作部３４Ｌに連結固定されて、回転操作部３４Ｌの回転操作によって回転する。回転操作部３４Ｌ、３３Ｒは、それぞれ、固定部１７Ｌ、１７Ｒの外側に配置され、手動操作が可能な位置に配置される。
【００６６】
回転操作部３４Ｒの構成は、図２（ｂ）に示した回転操作部３４と同じであり、２つの締結穴３６Ａ、３６Ｂが形成されている（図示せず）。一方、回転操作部３４Ｌには締結穴３６Ａ、３６Ｂに加えて締結穴３６Ｃ、３６Ｄが形成されている。締結穴３６Ａ〜３６Ｄのいずれかを介して締結具３５Ｌを固定部１７Ｌの締結部に係合することで、その位置にて回転操作部３４Ｌの回転方向の位置が規定・維持される。これにより、回動軸部３３Ｌ、ひいては第２のカム３２の回転方向の位置も規定・維持される。
【００６７】
かかる構成において、回転操作部３４Ｌと回転操作部３４Ｒとは別個に操作可能である。ピアノタッチ状態とオルガンタッチ状態との慣性力の切り替えについては、回転操作部３４Ｒを用いる。図１、図２で説明した回転操作部３４の回転操作と同じように回転操作部３４Ｒを回転させることでハンマ体ＨＭの位置を変位させて慣性力の切り替えが実現される。
【００６８】
一方、ピアノタッチ状態とオルガンタッチ状態との静荷重の切り替えについては、回転操作部３４Ｌを用いる。回転操作部３４Ｌには、４つの締結穴３６Ａ〜３６Ｄが形成されているので、回転操作部３４Ｌの回転位置を４段階で選択できる。従って、カウンタースプリング２３の押圧部２３ａによる助成力が４段階で調節できる。ハンマ体ＨＭの慣性力の有無は任意に選択できるので、結局、ハンマ体ＨＭを有した鍵盤装置において、慣性力の有無にかかわらず、押鍵時の静荷重を容易に調節することが可能となる。
【００６９】
なお、この変形例では、カウンタースプリング２３による助成力を段階的に調節可能としたが、回転操作部３４Ｌを任意の回転位置で固定する手段を設ければ、無段階での調節も可能となる。
【００７０】
ところで、上記した各種の実施形態において、カウンタースプリング２３によって鍵１０の後端部１０ａが直接に押圧されるようにしてもよい。また、押圧される箇所は、鍵支点Ｐｋより前側の部分であればよい。
【００７１】
一方、後端部１０ａに設けた摩擦部材１２が押圧される構成において、摩擦部材１２の形状は平坦に限られるものではない。図３（ｃ）、（ｄ）に摩擦部材１２の変形例を示す。
【００７２】
例えば、図３（ｃ）に示すように、鍵１０の後方にいくにつれて上方に傾斜した傾斜面を有する摩擦部材１２Ａとしてもよい。この構成によると、押鍵行程において摩擦部材１２Ａの斜面を押圧部２３ａが登る方向に摺動する。従って、押離鍵行程におけるカウンタースプリング２３による助成力の変化を非線形にすることが可能となる。
【００７３】
また、図３（ｄ）に示すように、摩擦部材１２Ｂに側面視Ｖ型の溝１２ａを形成し、カウンタースプリング２３については、先端が押圧部２３ａであるとし、押圧部２３ａが溝１２ａに嵌入される構成としてもよい。これによれば、押離鍵行程における鍵１０に対する押圧部２３ａの押圧位置が一定となる。これにより、助成力を正確に発揮させ、静荷重の設定精度を高めると共に、助成作用が長期間安定する。
【００７４】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００７５】
Ｐｋ  鍵支点、  Ｐｈ  ハンマ支点、  ＨＭ  ハンマ体（押鍵反力発生手段）、  １０  鍵、  ２０  リンク構体（回動体、調節手段）、  ２３  カウンタースプリング（弾性部材）、  ３０  カム機構部（調節手段）、  ３１  第１のカム、  ３２  第２のカム、  ３４  回転操作部（操作手段）、  ３５  締結具（維持手段）、  ３６Ｂ  締結穴（維持手段）、  ４２  ソレノイドスプリング（押鍵反力発生手段）  ４５  ソレノイドコイル（押鍵反力発生手段）
【図１】
0005862337.tif 000002
【図２】
0005862337.tif 000003
【図３】
0005862337.tif 000004